(57)【要約】【課題】  保持具を既存の帽子に確実、容易かつ迅速に取り付けられるようにし、また前記保持具に既存の付加物を確実、容易かつ迅速に取り付けられるようにし、多種類の付加物の取り付け、交換が可能であり、さらに前記保持具を複数個使用することにより、ベルト等の付加物をも係止することができるようにする。【解決手段】  クラウン１のリム１０を弾性で挟着する手段が内側片２と外側片３とを一体形成してなる。付加物Ｐ１を弾性で挟着する手段が前記外側片３に対応するカバー片４と前記外側片３とを一体形成してなる。全体をプラスチックで形成する。【選択図】図１
2006089880.tif 000002
【特許請求の範囲】
【請求項１】
クラウンのリムを弾性で挟着する手段が内側片と外側片とを一体形成してなり、付加物を弾性で挟着する手段が前記外側片に対応するカバー片と前記外側片とを一体形成してなり、しかも全体をプラスチックで形成することを特徴とする帽子用付加物保持具。
【請求項２】
表裏面に互いに係脱自在な面ファスナーを有する第１の折りたたみ帯片と、表裏面に互いに係脱自在な面ファスナーを有するとともに付加物の貫通保持部を形成した第２の折りたたみ帯片の少なくとも一方と、クラウンのリムを弾性で挟着する手段が内側片と外側片とを一体形成してなり、前記折りたたみ帯片を弾性で挟着する手段が前記外側片に対応するカバー片と前記外側片とを一体形成してなり、しかも全体をプラスチックで形成したクリップとからなることを特徴とする帽子用付加物保持具。
【請求項３】
クラウンのリムを弾性で挟着する手段が内側片と外側片とを一体形成してなり、断面略円状若しくは断面略円弧状の付加物を外嵌する手段が断面略半円状の保持片であり、前記保持片と前記外側片とを一体形成してなり、しかも全体をプラスチックで形成することを特徴とする帽子用付加物保持具。
【請求項４】
クラウンのリムを弾性で挟着する手段が内側片と外側片とを一体形成してなり、断面略半円状の保持片と前記外側片とを一体形成してなり、しかも全体をプラスチックで形成した左右一対のクリップと、前記各保持片への嵌合部を有する左右一対の高低調節パーツと、前記左右一対の高低調節パーツに着脱自在に取付けるヘッドバンドとからなることを特徴とする帽子用付加物保持具。
【請求項５】
カバー片が透光性を有することを特徴とする請求項１または２の帽子用付加物保持具。
【請求項６】
内側片がリムに係着する爪部を有することを特徴とする請求項１、２、３または４の帽子用付加物保持具。
【発明の詳細な説明】
【技術分野】
【０００１】
本発明は使用者の所望する付加物を帽子に取り付けることができるリム用の付加物保持具に関する。
【背景技術】
【０００２】
従来から鍔を含めた種々の箇所に面ファスナーを固着するとともに面ファスナー付きのワッペン等各種の付加物を着脱自在に取り付けることのできる帽子が知られている（以下、第１従来例とする）。
【０００３】
また板バネのクリップの外側片に文字、図案などを付したプレート部を固着し、前記クリップを帽子の鍔に着脱自在に取り付けるようにしたものが知られている（以下、第２従来例とする）。
【０００４】
さらに一種類の付加物、例えばトランシーバーのみ、携帯ライトのみを付加できるようにした帽子用付加物の保持具が知られている（以下、第３従来例とする）。
【０００５】
【特許文献１】実開昭５９−１６０５２７号公報
【特許文献２】実用新案登録第３０９９６８０号公報
【特許文献３】実開昭６２−１２２８３３号公報
【発明の開示】
【発明が解決しようとする課題】
【０００６】
第１従来例によると帽子および付加物に前もって面ファスナーを取り付けておかなければならず、既存の帽子や既存の付加物を使用することができない。
【０００７】
また面ファスナー同士の係着力は極めて大きいわけではなく、付加物の重量が制限され、付加される物品の種類も少ない。
【０００８】
第２従来例は帽子のリムに取り付けるものではなく、鍔部に取り付けるものであり、しかも図案等を付したプレート部がクリップに固着されており、付加物を取り換えることができない。
【０００９】
第３従来例は例えばトランシーバー専用の保持具であり、多種類の付加物を自由に取り付け得るものではなく、また前記付加物を保持するためにクリップのほかにボルトやホック等の部材を必要とする。
【００１０】
本発明は前記従来例の欠点を一挙に解決することを課題にする。
【課題を解決するための手段】
【００１１】
本発明の第１の手段は、クラウンのリムを弾性で挟着する手段が内側片と外側片とを一体形成してなり、付加物を弾性で挟着する手段が前記外側片に対応するカバー片と前記外側片とを一体形成してなり、しかも全体をプラスチックで形成することを特徴とするものである。
【００１２】
本発明の第２の手段は表裏面に互いに係脱自在な面ファスナーを有する第１の折りたたみ帯片と、表裏面に互いに係脱自在な面ファスナーを有するとともに付加物の貫通保持部を形成した第２の折りたたみ帯片の少なくとも一方と、クラウンのリムを弾性で挟着する手段が内側片と外側片とを一体形成してなり、前記折りたたみ帯片を弾性で挟着する手段が前記外側片に対応するカバー片と前記外側片とを一体形成してなり、しかも全体をプラスチックで形成したクリップとからなることを特徴とするものである。
【００１３】
本発明の第３の手段はクラウンのリムを弾性で挟着する手段が内側片と外側片とを一体形成してなり、断面略円状若しくは断面略円弧状の付加物を外嵌する手段が断面略半円状の保持片であり、前記保持片と前記外側片とを一体形成してなり、しかも全体をプラスチックで形成することを特徴とするものである。
【００１４】
本発明の第４の手段はクラウンのリムを弾性で挟着する手段が内側片と外側片とを一体形成してなり、断面略半円状の保持片と前記外側片とを一体形成してなり、しかも全体をプラスチックで形成した左右一対のクリップと、前記各保持片への嵌合部を有する左右一対の高低調節パーツと、前記左右一対の高低調節パーツに着脱自在に取付けるヘッドバンドからなることを特徴とするものである。
【００１５】
本発明の第５の手段は前記第１または第２の手段において、カバー片が透光性を有することを特徴とするものである。
【００１６】
本発明の第６の手段は前記第１、２、３または４の手段において、内側片がリムに係着する爪部を有することを特徴とするものである。
【発明の効果】
【００１７】
請求項１の発明によれば、保持具を既存の帽子にも確実、容易かつ迅速に取り付けることができ、また前記保持具に薄手の既存の付加物を確実、容易かつ迅速に取り付けることができ、多種類の付加物の取り付け、交換が可能であり、さらに前記保持具を複数個使用することにより、ベルト等の付加物を係止することができ、老若男女のいずれもが楽しむことができる。
【００１８】
請求項２の発明によれば、クリップ単独の使用により前記請求項１の効果を奏することができ、またクリップと第１の折りたたみ帯片とを併用すれば、所望の付加物を挟んで止めることができ、しかも確実、容易かつ迅速に取り付けることができ、さらにクリップと第２の折りたたみ帯片との併用により、円柱、円筒、断面凸弧状等、立体的な付加物や厚手の付加物を確実、容易かつ迅速に取り付けることができ、付加物の交換もでき、多種類の付加物の取り付けが可能になる。
【００１９】
特に請求項５の発明によれば、請求項１または２の効果に加えて透明若しくは半透明のカバー片を介して付加物を外部から視認することができ効果的である。
【００２０】
請求項３の発明によれば、円柱、円筒、断面凸弧状の付加物を確実、容易かつ迅速に取り付け、交換することができ、多種類の付加物の取り付けが可能になる。特に前記付加物を嵌め込むだけで取り付けることができ、手間の容易性および迅速性の点でより効果的である。
【００２１】
請求項４の発明によれば、帽子にヘッドバンドを着脱自在に取り付けることができ、ヘッドバンドにさらに付加物を取り付けることにより目立つ表示が可能となり、しかもヘッドバンドの高低調節をすることができ、ヘッドバンドを帽子に確実に取り付けることができる。
【００２２】
請求項６の発明によれば、請求項１、２、３または４の発明の効果に加えてより確実に保持具を帽子に取り付けることができる。
【発明を実施するための最良の形態】
【００２３】
本発明の第１形態を図１〜３により説明する。なお、図１は要部を拡大した部分図とともに使用状態を示すものである。
【００２４】
この第１形態はクリップ２０全体をプラスチックで一体形成するもので、矩形の外側片３の下縁の内側に矩形かつ弓形状の内側片２を連設して立ち上がらせ、しかも内・外側片２、３間にクラウン１のリム１０を弾性で挟着可能な隙間２ａを形成する。
【００２５】
前記外側片３の下縁の外側に前記外側片３に対向し、かつ透光性を有するカバー片４を連続して立ち上がらせ、しかも外側片３、カバー片４間に写真、プラスチックシート、図案や文字等のメッセージを表示した紙片、名刺、ベルト等、薄手の付加物Ｐ１を弾性で挟着可能な隙間３ａを形成する。ちなみに付加物Ｐ１としてのベルトには布製のものでも或いは中央にメッセージボードＰ１′を一体的若しくは貼着したプラスチックからなるものでもよい。
【００２６】
図４は本発明の第２形態を示すもので、第１形態がカバー片４を外側片３の下縁から連続して立ち上がらせたのに対し、この第２の形態はプラスチック製のカバー片４を外側片３の上縁から下向き連設するもので、他のクリップ２０の構成は材質を含め第１形態と同一であり、同一部分については同一符号を付し、重複説明を省略する。
【００２７】
なお第１若しくは第２形態の内側片２は先述のように矩形かつ弓形状でも、また図１、２の仮想線で示すように弓形の下端を段状にし、弓形の下端へクラウン１のリム１０に係着する爪部２１を一体形成してもよく、前者の場合は製造が容易であり、後者の場合は後述する使用時に爪部２１がリム１０に係着し、クラウン１にクリップ２０を安定良く取り付けることができる。図１において爪部２１はリム１０に係着した状態を、また図２においては付加物Ｐ１を挟むのに際し、指で内側片２を内側に拡げた状態を示しており、指を離せば図１の仮想線で示すようにバネ圧で復元することは勿論である。
【００２８】
図５〜図７は本発明の第３の形態を示すもので、クリップ２０は第１・２形態と同一であり、同一部分については同一符号を付し、重複説明を省略する。
【００２９】
この第３形態はクリップ２０の他に折りたたみ帯片を具備するもので、図５示のように第１の折りたたみ帯片６は細長布片の一端内側に面ファスナー５を、他端外側に前記面ファスナー５に係着する面ファスナー５′を取り付けてなるものである。
【００３０】
また第２の折りたたみ帯片８は前記面ファスナー５、５′の内方に間隔をおいて付加物Ｐ２を保持可能な正円形の透孔を穿設して貫通保持部７、７′を形成するものであり、貫通保持部７、７′はスリット（鎖線図示）等、付加物を貫通かつ保持できる手段であればよく、他の構成および材質は第１の折りたたみ帯片６と同一である。
【００３１】
なお折りたたみ帯片６、８の各面ファスナー５、５は細長布片の表裏全面に取り付ける等、面ファスナー５、５′が互いに係脱自在な位置に取り付けられていればよい。
【００３２】
この第３形態はクリップ２０に第１、第２の折りたたみ帯片６、８のいずれか一方若しくは両方つまり少なくとも一方を具備していればよい。
【００３３】
図８は本発明の第４形態を示すもので、外側片３の上縁から断面略半円状で、かつプラスチック製の樋型の保持片９を連設し、保持片９の両端に爪部９ａ、９ａをそれぞれ内向きに連設するものであり、他のクリップ２０の構成はその材質を含め第１・２形態と同一であり、同一部分については同一符号を付し、重複説明を省略する。
【００３４】
図９、１０は本発明の第５形態を示すもので、左右一対のクリップ２０、２０と左右一対の高低調節パーツ１２、１２とヘッドバンド１３とからなり、各クリップ２０は第４形態のクリップ２０の構成、材質と同一であり、同一部分については同一符号を付与し、重複説明を省略する。
【００３５】
各高低調節パーツ１２はプラスチック製であり、矩形片からなる本体１２ａの下方に、断面略半円状にした嵌合部１１を段１２ｂ付き状態で一体的に突設し、本体１２ａの上端両脇からそれぞれ細長条１２ｃを一体的に突設し、各細長条１２ｃに複数個の高低調節孔１２ｄ、１２ｄ、１２ｄを穿設するものである。
【００３６】
ヘッドバンド１３はプラスチック製の弓形帯体であり、その両下端の両脇に嵌合突起１３ａ、１３ａを水平に突設し、頭頂部にプラスチック製のメッセージボード１３ｂを一体形成するものである。なおメッセージボード１３ｂをホワイトボードで形成し、ヘッドバンド１３に後付けしてもよい。
【００３７】
次に本発明の各形態の使用法および作用について説明する。
【００３８】
第１・２形態の場合、図２・４で示す隙間３ａに第１形態の場合は上方から、第２形態の場合は下方から写真、図案や文字等のメッセージを表示した紙片、プラスチックシート、名刺等の薄手の付加物Ｐ１を差し込む。このとき外側片３、カバー片４は一旦、開状態になるが、復元力（バネ圧）で前記付加物Ｐ１を確実に挟着する。
【００３９】
その後、クラウン１の内側面に位置するリム１０の下方からクリップ２０を外挿する。このとき内側片２をリム１０の内側に、外側片３をリム１０の外側に位置させる。内側片２は弓形状であるので隙間２ａの上方が広く、リム１０に外挿しやすく、また内側片２の略中央が外側片３に向かって反っているので、隙間２ａが狭まり、大きいバネ圧がかかり、クリップ２０は確実に取り付けられる。
【００４０】
カバー片４は透光性を有し、つまり透明若しくは半透明であるので、付加物Ｐ１を外方から明瞭に視認することができる。
【００４１】
また図１の仮想線で示すように内側片２に爪部２１を形成した場合には爪部２１がリム１０の上端に刺着し、クリップ２０はより確実にクラウン１に取り付けられる。
【００４２】
図３は、布、プラスチック、皮等の材質からなるベルトを付加物Ｐ１とする場合を示すもので、クリップ２０、２０を３ヶ所に間隔をおいて配置し、クラウン１へ前記と同一方法で取り付け、各クリップ２０をリムに取り付けた後にベルトを隙間３ａに挿入し、内・外側片２、３のバネ圧で挟着する。このときベルトを緊締すれば、帽子は向い風に対して脱ぎ飛ばされることはなく、スキー等の運動の際に有効である。なおメッセージボードＰ１′を有するときは図示のようなメッセージを視認者に伝えることができる。
【００４３】
図５〜７で示す第３形態および図８〜１０で示す第４・５形態の各クリップ２０をクラウン１のリムに取り付けるのは爪部２１の無い場合、有る場合とも前述の第１・２形態の場合と同一であり、重複説明を省略する。
【００４４】
第３形態の場合はクリップ２０単独で使用する場合は第１・２形態の場合と同一であり、また第１の折りたたみ帯片６を使用する場合は隙間３ａに折りたたみ帯片６を差し込み、外側片３、カバー片４で圧接し、図６で示すように生花、造花その他の小物等の付加物Ｐ２を使用者の所望によりカバー片４の外向面に当接し、折りたたみ帯片６を折り、かつ面ファスナー５、５′を係着して付加物Ｐ２を取り付ける。
【００４５】
第２の折りたたみ帯片８を使用する場合は第１の折りたたみ帯片６の場合と同様にして第２の折りたたみ帯片８をクリップ２０に取り付け、懐中電灯その他円柱、円筒、断面凸弧状等、立体的な付加物Ｐ２を図７で示すように貫通保持部７、７′である透孔に貫通したり、厚手の付加物をスリット７、７′に貫通し、面ファスナー５、５′を係着する。
【００４６】
図８に示す第４形態は第１・２・３形態の場合と同様にして図示を省略したリムにクリップ２０を取り付け、第３形態で付加する付加物Ｐ２と同様の付加物Ｐ２を保持片９に外嵌する。このとき開状態の保持片９の復元力によりバネ圧が生じ、付加物Ｐ２に圧接し、しかも付加物Ｐ２は爪部９ａに係止され、安定性を増す。
【００４７】
第５形態の場合は第４形態と同一のクリップ２０、２０を使用するもので、ヘッドバンド１３を取り付けるにはリム１０の両側に左右一対のクリップ２０、２０を取り付け、各保持片９に嵌合部１１を嵌入する。このとき各爪部９ａが各段１２ｂに係止し、各高低調節パーツ１２がやや斜め内向きに起立する。
【００４８】
続いて使用者は帽子を被り、しかる後ヘッドバンド１３をクラウン１上に当接するなど調節し、丁度いいところで各嵌合突起１３ａを高低調節孔１２ｄに嵌入する。
【００４９】
このヘッドバンド１３も使用者の所望により例えば、図９、１０のようにヘッドバンド１３にメッセージボード１３ｂを取付けてもよく、メッセージボード１３ｂをホワイトボードで形成した場合には各種の表示を使用者自身で書いたり、消したりして視認者にメッセージを送ることができる。
【図面の簡単な説明】
【００５０】
【図１】本発明の第１形態を示す部分拡大部付き使用状態の一部切欠き斜視図である。
【図２】同上第１形態の拡大斜視図である。
【図３】同上第１形態の他の使用状態を示す斜視図である。
【図４】同上第２形態の斜視図である。
【図５】同上第３形態の分解斜視図である。
【図６】同上の使用状態の第１例を示す斜視図である。
【図７】同上の使用状態の第２例を示す斜視図である。
【図８】同上第４形態の使用状態を示す分解斜視図である。
【図９】同上の第５形態の分解斜視図である。
【図１０】同上の使用状態を示す斜視図である。
【符号の説明】
【００５１】
１    クラウン
２    内側片
３    外側片
４    カバー片
５    面ファスナー
５′  面ファスナー
６    折りたたみ帯片
７    貫通保持部
７′  貫通保持部
８    折りたたみ帯片
９    保持片
１０    リム
１１    嵌合部
１２    高低調節パーツ
１３    ヘッドバンド
２０    クリップ
２１    爪部
Ｐ１    付加物
Ｐ２    付加物
【図１】
2006089880.tif 000003
【図２】
2006089880.tif 000004
【図３】
2006089880.tif 000005
【図４】
2006089880.tif 000006
【図５】
2006089880.tif 000007
【図６】
2006089880.tif 000008
【図７】
2006089880.tif 000009
【図８】
2006089880.tif 000010
【図９】
2006089880.tif 000011
【図１０】
2006089880.tif 000012